(57)【要約】【課題】傷や汚れが付きにくく簡単に清掃が可能で、かつ、外観も美しい栽培用器具を提供する。【解決手段】植物３を栽培するための土壌５を収納する、開口部３２を有する栽培容器３０の開口部３２に載置する栽培用器具１であって、植物３を保持するとともに、栽培するサボテン３の根を、栽培容器３０に収納された土壌５に根付かせるための第１挿通孔１２を有する、表面に施釉された陶磁器製の保持部１０と、保持部１０を栽培容器３０に載置するために、保持部１０の下側に形成され、第１挿通孔１２と連通するように形成される第２挿通孔２２を有する、表面に施釉された陶磁器製の載置部２０と、を備え、保持部１０の表面に模様や文字などが施された栽培用器具１。【選択図】図２
2019092426.tif 000002
【特許請求の範囲】
【請求項１】
植物を栽培するための水又は土壌を収納する、開口部を有する栽培容器の前記開口部に載置する栽培用器具であって、
前記植物を保持するとともに、前記植物の根を、前記栽培容器に収納された水又は土壌に根付かせるための第１挿通孔を有する、表面に施釉された陶磁器製の保持部と、
前記保持部を前記栽培容器に載置するために、前記保持部の下側に形成され、前記第１挿通孔と連通するように形成される第２挿通孔を有する、表面に施釉された陶磁器製の載置部と、
を備えたことを特徴とする栽培用器具。
【請求項２】
請求項１に記載の栽培用器具において、
前記保持部は、上絵付け又は下絵付けが施されていることを特徴とする栽培用器具。
【発明の詳細な説明】
【技術分野】
【０００１】
本発明は、植物の栽培のための容器と共に用いる栽培用器具に関する。
【背景技術】
【０００２】
従来、鉢植え用容器として、ペットボトル本体を水平分割し、その口頸部付き部分を内容器とし、残りの部分を外容器として、内容器の口頸部が下になるように外容器の内側に嵌合させるとともに、外容器の周面に内容器の周面と重合しない位置に排水孔を形成し、かる内容器の内部に排水性を考慮した土層構造を施し、排水孔を境に、上方部分を植物の栽培部、下方部分を貯水部とした鉢植え容器があった（例えば、引用文献１）。
【先行技術文献】
【特許文献】
【０００３】
【特許文献１】特開２００６−０３４１１７号公報
【発明の概要】
【発明が解決しようとする課題】
【０００４】
上記従来の鉢植え容器は、上下２分割の構造とすることによって、上方部分の内側に土壌を入れて植物を栽培し、土壌に供給した水のうち余剰分を下方部分に貯めることで、植物の栽培を可能にしている。
【０００５】
ところが、この鉢植え容器は、ペットボトルを切断して作られているため、傷や汚れが付きやすく、内容器と外容器の重合した部分に土などの汚れがたまりやすく、その清掃もしにくいという問題があった。また、特物栽培用の鉢植え容器は、一般的に外観上の美しさを要求されるものであるが、上記鉢植え容器は、外観上の美しさもないという問題もあった。
【０００６】
本発明は、このような問題に鑑みなされたもので、傷や汚れが付きにくく簡単に清掃が可能で、かつ、外観も美しい栽培用器具を提供することを目的とする。
【課題を解決するための手段】
【０００７】
本発明は、上述の課題の少なくとも一部を解決するためになされたものであり、以下の適用例として実現することが可能である。なお、本欄における括弧内の参照符号や補足説明等は、本発明の理解を助けるために、後述する実施形態との対応関係を示したものであって、本発明を何ら限定するものではない。
【０００８】
[適用例１]
本発明に係る栽培用器具（１）は、植物（３）を栽培するための水又は土壌（５）を収納する、開口部（３２）を有する栽培容器（３０）の前記開口部（３２）に載置する栽培用器具（１）であって、前記植物（３）を保持するとともに、前記植物（３）の根を、前記栽培容器（３０）に収納された水又は土壌（５）に根付かせるための第１挿通孔（１２）を有する、表面に施釉された陶磁器製の保持部（１０）と、前記保持部（１０）を前記栽培容器（３０）に載置するために、前記保持部（１０）の下側に形成され、前記第１挿通孔（１２）に連通するように形成される第２挿通孔（２２）を有する、表面に施釉された陶磁器製の載置部（２０）と、を備えたことを要旨とする。
【０００９】
このような栽培用器具（１）は、保持部（１０）によって、栽培対象となる植物（３）が保持された状態で、載置部（２０）によって栽培容器（３０）の開口部（３２）に載置される。その際、植物（３）の根の部分が保持部（１０）の第１挿通孔（１２）及び載置部（２０）の第２挿通孔（２２）を通して栽培容器（３０）内の水や土壌（５）に根付くようになっている。
【００１０】
ここで、保持部（１０）及び載置部（２０）が共に陶磁器製であり、その表面は施釉されている。したがって、保持部（１０）及び載置部（２０）の表面は、ＰＥＴ材や樹脂材に比べて表面の硬度が高いため、傷が付きにくく、施釉によって表面も汚れにくくなっている。さらに、施釉によって表面に光沢があるため、外観も美しいものとなる。
【００１１】
［適用例２］
適用例１に記載の栽培用器具（１）において、前記保持部（１０）は、上絵付け又は下絵付けが施されていることを要旨とする。
【００１２】
このような、栽培用器具（１）では、保持部（１０）の表面の施釉による光沢だけでなく、上絵付け又は下絵付けにより、保持部（１０）表面に絵や模様あるいは文字などの装飾を行うことができるため、更に外観を美しくすることができる。
【図面の簡単な説明】
【００１３】
【図１】栽培用器具を使用して植物を栽培する様子を示す図である。
【図２】栽培用器具の構造を示す断面図である。
【図３】栽培用器具の平面図、正面図及び底面図である。
【発明を実施するための形態】
【００１４】
以下、本発明が適用された実施形態について図面を用いて説明する。なお、本発明の実施の形態は、下記の実施形態に何ら限定されることはなく、本発明の技術的範囲に属する限り種々の形態を採りうる。
【００１５】
［栽培用器具の外観］
まず、栽培用器具１が栽培容器３０に載置されて使用されているとき状態を図１に基づいて説明する。図１は、栽培用器具１を使用して植物３（本実施形態ではサボテン３を用いて説明する）を栽培する様子を示す図である。
【００１６】
図１に示すように、円筒状のガラス製の容器（コップやビーカなどでもよい）の開口部３２を有する栽培容器３０に肥料などを混合させた土壌５を入れる。
栽培用器具１の保持部１０の第１挿通孔１２及び載置部２０の第２挿通孔２２にサボテン３の根を挿通させるようにして、サボテン３を保持部１０の内側面に配置する。
【００１７】
土壌５を入れた栽培容器３０の開口部３２に栽培用器具１の載置部２０の外周が嵌合するように栽培容器３０に栽培用器具１を載置する。この際、サボテン３の根が栽培容器３０に収納されている土壌５の中に埋もれるようにする。
【００１８】
［栽培用器具の構造］
次に、図２及び図３に基づき、栽培用器具１の構造について説明する。図２は、栽培用器具１の構造を示す断面図であり、図３は、栽培用器具１の平面図、正面図及び底面図である。なお、栽培用器具１の形状を示す六面図のうち、左右側面図及び背面図は、絵付けしてある文字（装飾）を除いて、正面図と同じであるため省略してある。
【００１９】
図２に示すように、栽培用器具１は、保持部１０と載置部２０とを備えている。保持部１０及び載置部２０は、粘土を一体成型して素焼きした後、釉薬を施して焼成した陶磁器製である。
【００２０】
保持部１０は、内側面の断面形状が、サボテン３を安定して保持できる形状、つまり、上部（開口部）の直径が大きく下方側ほど直径が小さくなるお椀型の形状となっている。
また、保持部１０の下端部分は、後述する載置部２０に設けられた第２挿通孔２２に連通する孔（第１挿通孔１２）が設けられている。
【００２１】
保持部１０の外周面の直径は、栽培容器３０の外周面の直径とほぼ同じ大きさである。このように、外周面の直径を栽培容器３０の外周面の直径と同じ大きさにすることにより、栽培容器３０と保持部１０の外周部分の段差をなくし、栽培用器具１を栽培容器３０に載置した際に、栽培容器３０と保持部１０とが一体となるようにして美観を高めている。
【００２２】
また、保持部１０の外周面には、施釉面に絵付けを行って低温焼成する上絵付を行って、図３（ｂ）に示すように，文字や絵あるいは模様を施してある（本実施形態では、「ｓａｉｓｕｉ」という文字で例示してある）。
【００２３】
載置部２０は、保持部１０の下側にリング状に形成され、その外周部分が、栽培容器３０の開口部３２に嵌合することによって栽培用器具１を栽培容器３０に、いわゆるガタがないように載置することができるようになっている。したがって、載置部２０の外径は栽培容器３０の開口部３２の内径とほぼ同じ大きさとなっている。
【００２４】
また、内周面は第２挿通孔２２となっている。第２挿通孔２２は、保持部１０の第１挿通孔１２と連通しており、サボテン３の根が第１挿通孔１２及び第２挿通孔２２を通って栽培容器３０に収納されている土壌５に根付くようになっている。
【００２５】
（栽培用器具の特徴）
以上のような栽培用器具１は、栽培対象となるサボテン３が保持された状態で、栽培容器３０の開口部３２に載置される。その際、サボテン３の根が保持部１０の第１挿通孔１２及び載置部２０の第２挿通孔２２を通して栽培容器３０内土壌５に根付くようになっている。
【００２６】
ここで、保持部１０及び載置部２０が共に陶磁器製であり、その表面は施釉されている。つまり、保持部１０及び載置部２０の表面は、ＰＥＴ材や樹脂材に比べて表面の硬度が高いため、傷が付きにくく、施釉によって表面も汚れにくくなっている。さらに、施釉によって表面に光沢があるため、外観も美しいものとなる。
【００２７】
また、保持部１０の表面は、施釉による光沢だけでなく、上絵付け又は下絵付けにより、保持部１０表面に絵や模様あるいは文字などの装飾が行われているため、更に外観を美しくすることができる。
【００２８】
［その他の実施形態］
（１）上記実施形態では、保持部１０の外周面に外絵付けにより模様などを施したが、施釉前の素焼き面に絵付けを行って施釉して焼成する下絵付けを行ってもよい。
【００２９】
（２）上記実施形態では、栽培用器具１の外形形状を、栽培容器３０の円筒状の形状に合わせて円筒状としていたが、栽培容器３０の形状に合わせて、断面が楕円形や多角形であってもよいし、さらに複雑な形状であってもよい。
【００３０】
（３）上記実施形態では、栽培対象の植物をサボテンとし、栽培容器３０に土壌５を収納していたが、栽培対象を球根など他の植物とし、栽培容器３０に収納する物として、水などを用いて水耕栽培を行うようにしてもよい。
【符号の説明】
【００３１】
１… 栽培用器具  ３… 植物（サボテン）  １０… 保持部  １２… 第１挿通孔  ２０… 載置部  ２２… 第２挿通孔  ３０… 栽培容器  ３２… 開口部。
【図１】
2019092426.tif 000003
【図２】
2019092426.tif 000004
【図３】
2019092426.tif 000005